(57)【要約】      （修正有）【課題】左右の音場感だけでなく上下の音場感を得られ、集音部の擦過音などのノイズを除去したり、過大な音量を制御し使用者の耳を保護可能でかつ利便性を確保可能な聴診器を提供する。【解決手段】電子回路を介した聴診器において、３つ以上望ましくは４つ以上の集音装置、マイクを持ち立体音場で聴音し聴診する。また位相処理、イコライジングを行い、焦点を絞って聴音する。また、その焦点を使用者の手で操作可能にする。また、用途により幼児や患者に恐怖感をあたえない愛くるしい外装にすると同時に、集音部と聴音部を無線接続とする。【選択図】図３
2012090656.tif 000002
【特許請求の範囲】
【請求項１】
手に持って使用する電子聴診器において、３つ以上の複数の集音装置を一体とし筐体に取り付け聴診音を電子処理する信号処理装置を備え、電子的な受信部を用いた聴音部を備えたことを特徴とする聴診器。
【請求項２】
請求項１記載の聴診器において、集音装置を４つ以上用いたことを特徴とする聴診器。
【請求項３】
請求項１及び請求項２記載の聴診器において、手に持って使用する聴診器集音部と聴診器聴音部の間における情報伝達を無線装置としたことを特徴とする聴診器。
【請求項４】
請求項１及び請求項２記載の聴診器において、各集音装置からの信号を位相処理し、集音部の集音の焦点を操作できる操作部を設け、可変としたことを特徴とする聴診器。
【請求項５】
請求項４記載の聴診器において、集音装置が１つである旧来の聴診器と同等の聴診音から連続的に電子多チャンネル聴診器の聴診音に可変移行できることを特徴とした聴診器。
【請求項６】
請求項３記載の聴診器において、非使用時に集音部を定置し充電する専用クレードルを設け、クレードルに集音部を加温する加熱部を設けたことを特徴とする聴診器。
【請求項７】
請求項１及び請求項２記載の聴診器において、集音部において処理した心音から心拍数を計測する処理回路を設け、心拍数を表示する表示部を設けたことを特徴とする聴診器。
【請求項８】
請求項１及び請求項２記載の聴診器において、集音部と聴音部が無線により接続され、集音部には各集音装置からの信号を位相処理し、体内の発音部に焦点を操作できる操作部としてホイールまたはジョイスティックなどの操作部材を用いた聴診器であって非使用時に集音部を保持し充電すると同時に加温する専用クレードルを設けたと同時に、集音部及びクレードルに意匠性を持ちまた集音部に保温カバー部を設けて成ることを特徴とする聴診器。
【発明の詳細な説明】
【技術分野】
【０００１】
本発明は電子回路を介した聴診器に関する。
【背景技術】
【０００２】
従来の電子回路を介した聴診器には体内で発生音を正確に聴診し、それ以外の不要な音を聴音しないようにすることが目的であった。その為各種電子処理、回路を加えて聴音をよりよくする工夫があった。また接触ノイズ、擦過ノイズなどの過大な音量を電子的に押さえる装置もあった。
【０００３】
また、２つの集音装置を備えた集音部を用いる電子回路を介した聴診器もあった。
【０００４】
また、電子回路を介した聴診器には電子回路により聴音特性を旧来の聴診器に近似させ、一般の聴診器を使い慣れた使用者が違和感なく使用できるようにしたものもあった。
【０００５】
また、聴診器の集音部と、聴音部の間に、信号処理部を設け、無線で聴診器の集音部と、聴音部の間を分離したものもあった。
【０００６】
また、ステレオで聴診し、使用者に提供する物もあった。
【０００７】
また別の技術として、従来から多チャンネルステレオやそのためのヘッドホンがあった。
【０００８】
また、前記のステレオでは、電子的に近似して２チャンネルヘッドホンから、多チャンネルの音場を造り出す装置もあった。
【特許文献１】特開２００４−２６１２６４
【特許文献２】特開２００２−１６５２９２
【特許文献３】特許第３６２６１９８
【特許文献４】実開平６−６１２０８
【特許文献５】特開２００９−４９８４４
【特許文献６】特表２００４−５０９５４１
【特許文献７】特表２００４−５００２１９
【特許文献８】特開平１１−２２０７９７
【発明の開示】
【発明が解決しようとする課題】
【０００９】
従来の電子回路を介した聴診器における２つの聴診用集音部を用いる聴診器は、左右の音場感はあるが上下の音場感はなく、また一般に良く用いられる既存の機械的な聴診器とは使用間隔が異なった。
【００１０】
また、そうした電子回路を介した聴診器には集音部の擦過音などのノイズを除去したり、過大な音量を制御し使用者の耳を保護する物はなかった。
【００１１】
また、そうした上記従来の聴診器には聴診器の集音部と聴音部を無線で繋ぎ利便性を確保したものがなかった。
【００１２】
また、非使用時には、専用のクレードル等に聴診器の集音部をおき、充電と機器の保護を行うようなものはなかった。
【００１３】
また、そうした聴診器にあってクレードルあるいは聴診器の集音部に保温機能をもたせ、人体接触時の冷感を起こさないようにするものもなかった。
【００１４】
また、使用と同時に信号処理によって対象の心拍数を測定し、それを表示する聴診器はなかった。
【課題を解決するための手段】
【００１５】
本発明では、３つ以上、望ましくは４つ以上の集音装置を同時に備えた集音部を用い、各集音装置の信号を処理する
ことで、立体的な三次元の音場で聴音することができる聴診器を作る。
【００１６】
また、信号の処理により聴診器の接触ノイズや、過大な音量を制御し聴診者の耳の保護を出来る物にする。
【００１７】
また、信号の処理により使用者の耳の左右の聴感特性の差を補正し、また旧来の機械的な単一の集音装置を用いた聴診器の使用感から、本発明の複数の集音装置を用いた聴診器の使用感までつなぎ目無く可変出来るようにする。
【００１８】
また、複数の集音装置からの信号の位相差を調整することで聴音の焦点を三次元的に移動可能にする。
【００１９】
また、上記の聴音の焦点の移動と使用感の可変を、パソコンのマウスに使われているようなホイールやジョイスティックなどの操作媒体を集音部に取り付け、聴音中に簡便に変更を行えるようにする。
【００２０】
また、聴診器の聴音部と集音部の間を無線で繋ぎ、非使用時には集音部の充電と保護を行う専用クレードルを用いる。
【００２１】
また、集音部もしくは上記クレードルに保温機能をもたせる。
【００２２】
また、集音部の保温及び保護のために保護カバーを用いても良い。
【００２３】
また、集音部に心拍数の表示装置を設ける。
【発明の効果】
【００２４】
上記の手段により、受音チャンネル数が増え立体音場となることで、使用者が聴音を特定したい部位に集中出来ることにより、ノイズとの判別がつきやすく、より効果的な聴音をすることができる。
【００２５】
また、内臓のＤＳＰにより信号処理が容易に行えるので、特別な周波数の強調などのイコライジング、心拍数の計数表示、立体聴音による正確な聴音、位相制御による焦点を定めた聴音、多数の検診者による総合判断、データのロギング、多数の生徒に対する教育等、現場で有益である。
【００２６】
また、ホイールやジョイスティックなどのような操作媒体を用いているため操作は容易である。
【００２７】
また聴診器の集音部の保護カバー、クレードルに配置したヒーターは、聴診器を当てるときの冷感、幼児における恐怖感も取り除くことが出来る。
【００２８】
また集音部や保護カバー、クレードルに意匠性を与えることにより、幼児における恐怖感を取り除くのにいっそう効果を発揮する。これは本発明の聴診器は形状の自由度が高いため、高い効果を期待することが出来る。
【００２９】
また上記の自由度にともなって、集音部の接触部分は容易に消毒あるいは洗浄できるように出来る。
【発明を実施するための最良の形態】
【００３０】
聴診器の集音部には、最低限３つ望ましくは４つ以上の集音装置を患者体表に、一度に圧接出来る位置であって、適宜な距離を取って取り付けておく。
【００３１】
この聴診器の集音部は、例えばパソコンの小型マウスのような形の筐体の底面の各部に集音マイクがついていると考えればよい。この上部に操作部であるボタン、スイッチ部、データ表示部、また内部に信号処理回路と充電型の電源が付いた物である。
【００３２】
また、最低限３点の入力があるため、必要に応じて、この各受信装置からの入力音の位相を合わせることにより、聴診したい音源のある位置に焦点を結ぶようにＤＳＰで位相を調整し体内の各深さ、位置から発生する音を、明瞭に聞くようにする。
【００３３】
聴診者はこれを動かして、患者の体内音を聴音する、この時患者体表が筐体にふれるときの雑音、衝撃は集音装置と聴診器集音部との間に防震材やゴム状材で固定し減衰させればよい。
【００３４】
また、患者体表への圧接の瞬間や、動かすときの過大な音響入力が発生した場合は内部回路で減音、消音すればよい。
【００３５】
また、この時のゴム状材は、患者の体表面に、各集音装置を密着させる機能を果たすようにする弾力を持つことがよい。
【００３６】
集音装置としては、既存の聴診器の集音部を改良、小型化し電気信号に変換する物であっても良いが、ポリフッ化ビニリデンなどの圧電性素材を用いて専用の接触マイクを使用することもよい、いずれの場合も衝撃や擦過、消毒などの表面の負荷に耐えるものであればよい。
【００３７】
聴診器集音部筐体は手のひらに収まるサイズであればよいが、これに、トラックボール、ホイール、ジョイスティック、回転式つまみ、スイッチ、ディスプレイ装置などを必要に応じて取り付け、機能の制御をするようにすればよい。
【００３８】
これらの操作部を操作して音量、音質、焦点位相の変更などを行うことにすれば、片手で作業でき、便利である。
【００３９】
集音装置のイコライジング、その他前記の機能制御はデジタルシグナルプロセッサ（以降ＤＳＰと表現）を用い、聴診器集音部筐体内で行っても良いし、聴診器聴音部で行っても良い。また、ＤＳＰにより聴診器集音部よりのデータを２倍速、や３倍速などに逓倍して低周波の信号を聞き取りやすくすることも出来る（とくに心音などの低周波域）。
【００４０】
また、無線で聴診器集音部と聴診器聴音部を繋ぐ場合双方にアドレスを持たせ一致したアドレス同士でのみ、信号が受信されるようにすればよい。こうすることで、１つの聴診器集音部から、多数の聴診器受信部に信号を送ることが出来る、これは教育の現場や、複数の聴診者、あるいはデータロガーなどに信号を送る場合にも有利である。
【００４１】
また、この聴診器集音部筐体は専用のクレードルにのせることによって充電、保温するようにすればよい。このクレードルは充電機能と保温機能を持つようにしておく。
【００４２】
充電は誘導コイルによる充電などを利用し、金属接触部をなくし、消毒や洗浄に耐える物がよりよい。
【００４３】
本装置の再生音は、旧来の聴診器と、同様に聞こえるモードから複数の聴診器集音部からなる立体音場となるモードへと変更でき、この間には音質変化のつなぎ目がない方がよいことは言うまでもない、そしてこれはＤＳＰで行うことが出来る。
【００４４】
また、この操作には前述した、トラックボール、ホイールやスイッチ、回転式つまみなどを使用すればよい、これらは聴診器集音部筐体にあってもよいし、ヘッドホンを含む聴診器受信部にあっても良い。
【００４５】
また、聴診者の聴覚の補正に関する機能は、聴診器聴音部で行っておくと、データロギングや多人数での聴診に便利と考えられる。
【００４６】
この聴診器聴音部を筐体化するならば、据え置きあるいは胸ポケットにはいるような形状でよい。またヘッドホンやイヤホンに内蔵される物でもよい。
【００４７】
また、必要に応じて聴診器受信部筐体や集音部に保護部材であるカバーを設ける。これは洗浄、消毒に耐えられる物、あるいは簡単に取り替えられる物で音響インピーダンスが集音部分で人体に近い物が望ましい。このカバーは小児科医用においては子供の恐怖感を和らげるために動物等を模した物が良いだろうし、一般の成人に用いる物では機能を優先したコンピュータのマウスの様な形が考えられ、また精神科医用には牛型などが考えられる。
【実施例１】
【００４８】
本発明の基本的な形状を図１で示す。聴診器集音部筐体１の底面に少しばかりの集音装置２の突出部をもつ、小型マウス状であり、指先でつかみ用いることが出来る。
【００４９】
より人間工学的に指先に挟んだりするつまみや、安定用リング４などを持つことも良い。
【００５０】
上部には聴診器集音部筐体１を保持しながら操作できるコントローラスイッチ郡であるジョイスティック５やスイッチ６を持つ。
【００５１】
図２は本実施例の聴診器集音部筐体１を底面から見た図であり、集音装置２が三次元の焦点を持ち得るように配置されている。
【００５２】
また、図５は同時に用いる聴診器受信部９および使用者が音を聞くためのヘッドホン１０である。聴診器受信部９をポケットに入れるなどして用いる。
【実施例２】
【００５３】
図３及び図４は意匠性を重視した本発明の実施の形態を示す。
【００５４】
図２は、親猫の上に子猫が乗っているような形状であり、親猫がクレードル８であって、子猫が聴診器集音部筐体１である、子猫の足先に当たる部分が集音装置２である。
【００５５】
また、聴診器集音部筐体１である子猫の頭部に心拍数表示ディスプレイ７が設けられ、これにより対象の心拍数が表示される。
【００５６】
また図３で示される物は聴診器集音部筐体１に牛の意匠を施したカバーを施したものであり、荷馬車型のクレードル８に聴診器集音部筐体１を置いた状態の図である。本発明の実施においてはこのように充電、保温を行う。
【００５７】
本実施例では、足先の各四点と乳房部に集音装置２を付けている。
【産業上の利用可能性】
【００５８】
聴診器において、より聞き取りやすく、患者に恐怖感を与えず、診察、教育、データ管理などに便利な電子聴診器を提供する。
【図面の簡単な説明】
【００５９】
【図１】本発明を実施例１に掛かる聴診器集音部ならびに受信部の本体およびクレードル俯瞰図
【図２】聴診器集音部を裏から見た図
【図３】本発明の実施例２に掛かる意匠性のある筐体およびクレードルの俯瞰図
【図４】本発明の実施例２に掛かる意匠性のある筐体をクレードルに置いた俯瞰図
【図５】聴診器受信部の例の図
【符号の説明】
【００６０】
１  聴診器集音部筐体
２  集音装置
３  作動ランプ
４  安定用リング
５  ジョイスティック
６  スイッチ
７  心拍数表示ディスプレイ
８  クレードル
９  聴診器受信部
１０  ヘッドホン
【図１】
2012090656.tif 000003
【図２】
2012090656.tif 000004
【図３】
2012090656.tif 000005
【図４】
2012090656.tif 000006
【図５】
2012090656.tif 000007
【手続補正書】
【提出日】平成23年4月29日(2011.4.29)
【手続補正１】
【補正対象書類名】特許請求の範囲
【補正対象項目名】全文
【補正方法】変更
【補正の内容】
【特許請求の範囲】
【請求項１】
手に持って使用するステレオ音響の電子聴診器において、３つ以上の複数の集音装置を一体として筐体に取り付け集音部とし、聴診音を電子的に位相処理して立体音場とする信号処理装置を備え、電子的な受信部を用いて使用者にステレオの立体音場で聴診音を提供する聴音部を備えたことを特徴とする聴診器。
【請求項２】
請求項１記載の聴診器において、各集音装置からの信号を位相処理し、集音部の集音の焦点を操作できる操作部を設けることにより、聴音対象の体内で三次元的に聴音の焦点を可変できるようにしたことを特徴とする聴診器。
【請求項３】
請求項２記載の聴診器において、聴音の焦点を操作できる操作部としてトラックボール、ホイール、ジョイスティックなどの操作部材を用いることで、音響の焦点を簡便に操作できるようにしたことを特徴とする聴診器。